(57)【要約】【課題】自動巻の高級腕時計を主たる対象として、時計本体を水平状態に確実に載置して保持、保管することができると共に、腕時計の本体やバンドに傷が付かないように工夫された載置台の提供を課題とする。【解決手段】基台部１０と、立設部２０と、立設部２０から水平方向に延設され、被載置物を挿通、載置する挿通載置部３０とからなる載置台であって、挿通載置部３０はその上面を水平載置面３１とし、水平載置面３１に続く側周面３２を滑らかな弧状の断面形状に構成し、且つ挿通載置部３０はその長手方向自由端部を、平面視においては先端方向に向けて湾出する湾出形状Ｘに、縦断面視においては水平な上面から鋭角を形成して下方に傾斜する傾斜形状Ｔに構成してなる着地部３０ａとし、着地部３０ａの上面の自由端部に水平方向には湾出し垂直方向にはせり出した水平着地面３１ａを、水平載置面３１に続けて構成してある。【選択図】      図１
2013022307.tif 000002
【特許請求の範囲】
【請求項１】
基台部と、該基台部に立設される立設部と、該立設部から水平方向に延設されてなり、被載置物を挿通して載置する挿通載置部とからなる載置台であって、前記挿通載置部はその上面を水平載置面として構成すると共に前記上面に続く側周面を滑らかな弧状の断面形状となるように構成し、且つ前記挿通載置部はその長手方向自由端部を、平面視においては先端方向に向けて湾出する湾出形状に、また縦断面視においては水平な上面から鋭角を形成して下方に傾斜する傾斜形状に構成してなる着地部とし、これによって前記着地部の上面の自由端部に水平方向には湾出し垂直方向にはせり出した水平着地面を、前記水平載置面に続けて構成してあることを特徴とする載置台。
【請求項２】
挿通載置部は、樹脂製若しくは木製の本体の表面を革で被覆して構成してあることを特徴とする請求項１に記載の載置台。
【請求項３】
挿通載置部は、樹脂製若しくは木製の本体に対し樹脂若しくはゴムからなる表層を一体成形して構成してあることを特徴とする請求項１に記載の載置台。
【請求項４】
挿通載置部とその長手方向自由端部の着地部とは別部品として構成し、これを一体に組み合わせて構成してあることを特徴とする請求項１に記載の載置台。
【請求項５】
挿通載置部は樹脂製若しくは木製の本体の表面を革で被覆して構成し、長手方向自由端部の着地部は樹脂製若しくはゴム製の成形品で構成してあることを特徴とする請求項４に記載の載置台。
【発明の詳細な説明】
【技術分野】
【０００１】
本発明は載置台に関し、より詳しくは、腕時計の保管、陳列に適した載置台に関する。
【背景技術】
【０００２】
例えば個人的に所有する腕時計の場合は、腕から外した腕時計は、それを一時的に載置等して、保持、保管する必要がある。また時計売場等においては、腕時計を商品として展示する必要がある。
腕時計は通常においてベルト付きであるが、家庭内等では、不使用のベルト付き腕時計をテーブルや床等の上に載置して保持、保管する場合が多い。
また時計売場等においては、ベルト付きの腕時計を陳列台の上に上向きに展示したり、展示用の止まり木にぶら下げて展示したり、展示具に１個ずつ装着して展示する場合が多い。
一方、腕時計における事情として、特に高級な腕時計の場合、その保持、保管や展示等の際も決して時計本体やベルトに傷が付かないことが要望される。前記時計に傷が付く場合としては、保管や展示等を行う際に、時計本体とベルトとが相互に接触することによる傷、時計と載置具や展示具との接触による傷が考えられる。
他方、前記高級腕時計等の腕時計が自動巻機能をもっている場合には、その腕時計の本体が水平状態から傾斜された状態に保持されることで、時刻を刻む速度に微妙な誤差が生じてくるという問題がある。特に高級腕時計の場合には、微妙な誤差であってもその悪影響は大きい。従って、そのような自動巻の腕時計は、時計動作中の保管に際して水平に置くことが重要となる。
実開平２−１３９５５４号公報（特許文献１）には、平板状の展示具（１）を環状に丸め、それに腕時計を個別装着して、展示する展示具が開示されている。
特開平１１−２９０１７４号公報（特許文献２）には、腕時計を個別に陳列プレート（４）に装着し、水平位置から直立位置まで自由な角度で腕時計を陳列することができる陳列台が開示されている。
実用新案登録第３０７９７７８号公報（特許文献３）には、伸縮可能な腕時計支持台が開示されている。
実用新案登録第３１２１１６０号公報（特許文献４）には、支承部材（１）を備えた陳列装置が開示されている。
特開２００６−３０５２６３号公報（特許文献５）には、指輪を陳列するための指輪陳列台が開示されている。
【先行技術文献】
【特許文献】
【０００３】
【特許文献１】実開平２−１３９５５４号公報
【特許文献２】特開平１１−２９０１７４号公報
【特許文献３】実用新案登録第３０７９７７８号公報
【特許文献４】実用新案登録第３１２１１６０号公報
【特許文献５】特開２００６−３０５２６３号公報
【発明の概要】
【発明が解決しようとする課題】
【０００４】
上記特許文献１に示す陳列具は、腕時計を斜めに展示するものである。よって自動巻腕時計を載置するには微妙な時刻誤差発生の問題が残る。
上記特許文献２に示す陳列台は、腕時計を種々の角度で展示できるようにしたものであるが、腕時計を水平に載置することを目標としたものではない。
上記特許文献３に示す支持台は、特許文献１の場合と同様、腕時計を斜めに展示するものである。
前記特許文献４の陳列装置も、特許文献２の場合と同様、腕時計を水平に置くことを目標とするものではない。
上記特許文献５の指輪陳列台は、特許文献１、３の場合と同様、展示対象物を斜めに展示するものである。
【０００５】
そこで本発明は上記従来における問題点を解決し、自動巻の高級腕時計を主たる対象として、その腕時計の時計本体を水平状態に確実に載置して保持、保管することができると共に、そのような保持、保管に際して、腕時計の本体やバンドに傷が付かないように工夫された載置台の提供を課題とする。
【課題を解決するための手段】
【０００６】
上記課題を達成するため本発明の載置台は、基台部と、該基台部に立設される立設部と、該立設部から水平方向に延設されてなり、被載置物を挿通して載置する挿通載置部とからなる載置台であって、前記挿通載置部はその上面を水平載置面として構成すると共に前記上面に続く側周面を滑らかな弧状の断面形状となるように構成し、且つ前記挿通載置部はその長手方向自由端部を、平面視においては先端方向に向けて湾出する湾出形状に、また縦断面視においては水平な上面から鋭角を形成して下方に傾斜する傾斜形状に構成してなる着地部とし、これによって前記着地部の上面の自由端部に水平方向には湾出し垂直方向にはせり出した水平着地面を、前記水平載置面に続けて構成してあることを第１の特徴としている。
また本発明の載置台は、上記第１の特徴に加えて、挿通載置部は、樹脂製若しくは木製の本体の表面を革で被覆して構成してあることを第２の特徴としている。
また本発明の載置台は、上記第１の特徴に加えて、挿通載置部は、樹脂製若しくは木製の本体に対し樹脂若しくはゴムからなる表層を一体成形して構成してあることを第３の特徴としている。
また本発明の載置台は、上記第１の特徴に加えて、挿通載置部とその長手方向自由端部の着地部とは別部品として構成し、これを一体に組み合わせて構成してあることを第４の特徴としている。
また本発明の載置台は、上記第４の特徴に加えて、挿通載置部は樹脂製若しくは木製の本体の表面を革で被覆して構成し、長手方向自由端部の着地部は樹脂製若しくはゴム製の成形品で構成してあることを第５の特徴としている。
【発明の効果】
【０００７】
請求項１に記載の載置台によれば、基台部に立設された立設部から水平方向に延設された挿通載置部に対して、腕時計等の被載置物が挿通される。挿通載置部は、その上面を水平面からなる水平載置面としているので、該水平載置面に載置される被載置物を水平に保持することが可能となる。従って被載置物が自動巻の腕時計の場合には、その腕時計の時計本体を前記挿通載置部の水平載置面に載置することで、時計本体を確実に水平に保持することができる。
よって自動巻の腕時計の時計本体が傾くことによる誤差の発生を防止することができる。このことは、特に高級な自動巻の腕時計の場合において重要である。高級腕時計の場合には、使用者はその高級腕時計にふさわしい正確さを求めるものであることから、購買後に時刻誤差が生じることは、例えその誤差がごく僅かな場合であっても、許されないのである。販売業者もまたしかりである。高級自動巻腕時計を購入した客からの、そのような時刻誤差の苦情は避けなければならないからである。
また請求項１に記載の載置台によれば、時計を傷付けることなく載置台に挿通、載置し、また載置台から離脱させることができる。即ち、本発明では、挿通載置部の長手方向自由端部を、平面視においては先端方向に向けて湾出する湾出形状に、また縦断面視においては水平な上面から鋭角を形成して下方に傾斜する傾斜形状に構成してなる着地部とし、これによって前記着地部の上面の自由端部に水平方向には湾出し垂直方向にはせり出した水平着地面を構成している。
よって腕時計を載置台に挿通して載置する際には、先ず腕時計の時計本体を自由端部に出っ張った着地部に挿通してその上面の水平着地面に置き、その後、前記水平着地部に置かれた腕時計を、そのまま水平載置面まで移動させることで載置を完了させることができる。
腕時計本体を載置台に挿通して置く場合には、通常、リング状等になった時計バンドが途中で引っ掛り易く、時計バンドに傷が生じ易い問題がある。これに対して請求項１に記載の載置台の場合には、自由端部に出っ張った着地部に少しだけ腕時計を通した後、時計本体を水平着地面に着地すればよい。この際、前記着地部は、自由端部において湾出形状で且つ鋭角に傾斜する傾斜形状であるから、その横断面積が時計バンドに比べて十分に小さく、従って時計バンドが引っ掛かる問題が生じない。そして時計本体を水平着地面に着地させた状態では、時計本体の両側から時計バンドが水平着地面の側周面に沿って下方に垂れ下がった状態でほぼ同長にバランスすることになる。従って前記水平着地部に着地された腕時計は、そのまま奥へ平行移動させることで、載置台の何れにも引っ掛かることなく載置位置までの移動と載置を完了させることができる。
以上より、請求項１に記載の載置装置によれば、時計等の被載置物の水平を確保しつつ、且つ被載置物に傷が付くのを十分に防止することができる。
【０００８】
請求項２に記載の載置台によれば、上記請求項１に記載の構成による作用効果に加えて、挿通載置部は、本体の表面を革で被覆している構成しているので、貴金属やその他の金属、或いはその他の材料で構成される時計本体等の被載置部に、傷が付くのを防止することができる。同様に、貴金属やその他の金属、或いはその他の材料で構成される時計バンド等の被載置部に、傷が付くのを防止することができる。勿論、時計本体等と時計バンド等の被載置部同士の接触による傷の発生も防止することができる。また革による豪華さや高級感を演出させることもできる。
また表面の革に加えて、挿通載置部の本体を樹脂製若しくは木製とすることで、挿通載置部の内部を堅固で型崩れがなく、また寸法精度に優れたものとすることができ、表皮の革と相俟って、全体を硬軟バランスのとれた載置台とすることができる。
請求項３に記載の載置台によれば、上記請求項１に記載の構成による作用効果に加えて、樹脂製若しくは木製の本体に対し樹脂若しくはゴムからなる表層を一体成形して構成してあるので、挿通載置部の本体を樹脂や木製により堅固で且つ低コスト材料で得ることが可能となると共に、表層を寸法精度がよく且つ傷を付け難い材料を使い分けて用いることが可能となり、しかも表層を型成形により本体上に効率よく形成することが可能となる。
【０００９】
請求項４に記載の載置台によれば、上記請求項１に記載の構成による作用効果に加えて、挿通載置部とその長手方向自由端部の着地部とは別部品として構成し、これを一体に組み合わせて構成してあるので、長さの異なる複数種類の挿通載置部を容易に作製することができる。また着地部が両端部或いは片側端部にある挿通載置部を容易に作製することができる。また挿通載置部とその長手方向自由端部の着地部の役割に応じた材質、形状をそれぞれ他方に影響されることなく作製することができる。
また請求項５に記載の載置台によれば、上記請求項４に記載の構成による作用効果に加えて、挿通載置部は樹脂製若しくは木製の本体の表面を革で被覆して構成し、長手方向自由端部の着地部は樹脂製若しくはゴム製の成形品で構成してあるので、挿通載置部の大部分は革で被覆することによって見栄えよくすることができ、自由端部の革を被覆し難い部分だけを樹脂製若しくはゴム製の成形品とすることで、作製が容易で見栄えもよい載置台を得ることができる。
【図面の簡単な説明】
【００１０】
【図１】本発明の第１実施形態に係る載置台の全体斜視図である。
【図２】本発明の第１実施形態に係る載置台の平面図である。
【図３】本発明の第１実施形態に係る載置台の正面図である。
【図４】本発明の第１実施形態に係る載置台の挿通載置部の側面図である。
【図５】本発明の第２実施形態に係る載置台の一部断面斜視図である。
【図６】本発明の第３実施形態に係る載置台の一部分解斜視図である。
【発明を実施するための形態】
【００１１】
以下の図面を参照して、本発明の実施形態に係る載置台を説明する。
先ず図１〜図４を参照して、本発明の第１実施形態を説明する。
【００１２】
第１実施形態に係る載置台は、基台部１０と、該基台部１０に立設される立設部２０と、該立設部２０から水平方向に延設されてなる挿通載置部３０とからなる。
前記基台部１０は、床等に載置台を置くための部分である。この基台部１０の底面には図示しない接地部を４隅に設けている。この接地部は底面全体としてもよい。しかし、載置台を置いたときにガタツキの生じないようにするには、底面の複数ポイントにバランスよくドット状の接地部を設けるのが好ましい。
基台部１０の具体的な形状は、図に示すような矩形状に限定されるものではなく、円形状やその他の立体形状とすることができる。材質も木製、樹脂製、その他、剛性のある材質のものを用いることができる。
【００１３】
前記立設部２０は基台部１０から上方に立設される部分であり、且つ挿通載置部３０を水平方向に延設するための部分である。
立設部２０は本実施形態では金属製のポールを基台部１０の上面中央部から立設している。金属製のポールからなる立設部２０は、例えば金属製のポールを基台部１０に差し込んだ状態でネジ固定することで、一体に結合することができる。
立設部２０は、通常は基台部１０の上面に対して直角に立設される。また基台部１０の上面は、通常は基台部１０の底面の設置部がなす平面と平行に構成される。
立設部２０は必ずしも前記金属製である必要はない。また立設部２０は必ずしもポール状のものである必要もない。立設部２０は基台部１０と同じ材料で構成することができる。また基台部１０と同材で一体成形することも可能である。
立設部２０は適当な厚みと長さをもった立設壁のようなものであってもよい。
【００１４】
前記挿通載置部３０は立設部２０から水平方向に延設される部分である。
挿通載置部３０に対して被載置物である腕時計Ｗが挿通されて載置される。
本実施形態では挿通載置部３０の長手方向の両端部が自由端部となっており、前記腕時計Ｗを挿通載置部３０の何れの端部からも挿通して、載置できる構成としている。勿論、挿通載置部３０はその長手方向の一方の端部だけから挿通して、載置する形式の構成とすることもできる。
挿通載置部３０は、その上面を水平載置面３１としている。この水平載置面３１は挿通載置部３０の長手方向に沿って構成されている。
水平載置面３１の長手方向の寸法は、１乃至複数個の腕時計Ｗを載置できる寸法としている。また水平載置面３１の長手方向と直角な方向、即ち短手方向の寸法は、１個の腕時計Ｗの少なくとも時計本体Ｗ１を載置できる寸法としている。この短手方向の寸法は具体的には、時計本体Ｗ１の寸法以上でその両側の時計バンドＷ２の一部が時計本体Ｗ１と共に水平載置面３１上に載る程度が好ましい。時計バンドＷ２の一部が時計本体Ｗ１と共に水平載置面３１上に載ることで、腕時計の落下を予防することができると共に、展示用としては時計バンドＷ２の一部も時計本体Ｗ１と共にコーディネイトされた状態で好ましく展示することができる。
【００１５】
前記水平載置面３１は、水平になるように構成される。即ち、重力方向（垂直方向）に対して直角になるように構成する。水平載置面３１は、通常は基台部１０の底面の図示しない接地部がなす平面に対して平行となるように構成する。しかし、基台部１０が置かれる予定の展示台等の床面が水平状態から傾斜しているような場合には、基台部１０底面の接地部がなす平面に対して平行以外の角度でもって水平載置面３１を構成することで、水平載置面の水平を確保することになる。
【００１６】
前記挿通載置部３０の前記水平載置面３１である上面に続く側周面３２は、滑らかな弧状の断面形状となるように構成している。この側周面３２は前記水平載置面３１の両側に多少の膨出した弧状となるのが好ましい。側周面３２が水平載置面３１に対して多少膨出することで、時計バンドＷ２がその膨出した側周面に沿うことにより、時計本体Ｗ１の載置状態の安定性をより確保することができると共に、時計本体Ｗ１とそれにリング状に取り付けられた時計バンドＷ２とを、より実際の使用状態に近い状態で見る者の視覚に入れることができる。
なお勿論であるが、前記挿通載置部３０の横断方向の全周長さは、そこに挿通載置することを予定する腕時計のリング内周長さよりも短くなるように構成されている。
【００１７】
前記挿通載置部３０は、その長手方向自由端部を着地部３０ａとして構成している。この着地部３０ａは挿通載置部３０の自由部端部から挿通される腕時計Ｗを、自由端部付近で早期に、安定して着地させる領域としての役割を果たす部分である。
本実施形態では挿通載置部３０の長手方向両端部を自由端部として、その両方に着地部３０ａを設けている。勿論、自由端部の一方の端部にのみ着地部３０ａを設けるようにしてもよい。また長手方向の片方にのみ腕時計Ｗを挿通させることができる自由端部がある場合には、その片方の自由端部が着地部３０ａとして構成されることになる。
【００１８】
前記着地部３０ａである挿通載置部３０の長手方向自由端部は、平面視においては先端方向に向けて湾出する湾出形状Ｘにしている。また縦断面視においては水平な上面から鋭角αを形成して下方に傾斜する傾斜形状Ｔにしている。
前記湾出形状Ｘは、腕時計Ｗをその時計バンドＷ２と共に挿入し易く、且つ時計本体Ｗ１が着地し易い面積と形状を備えた形状が好ましい。この形状としては円弧状乃至略円弧状ということになる。しかし両側から中央部に向けて対称に湾出し、中央部が最湾出部となるような形成であれば、角のなだらかな多角形状であってもよい。
前記鋭角αは、９０度未満の角度であるが、実際には角度６０度を中心にした角度４０〜８０度の範囲で、前記平面視における湾出形状Ｘがある領域は前記縦断面視においても傾斜形状Ｔが存在するように、挿通載置部３０の垂直方向寸法（厚み寸法）適当な角度を選ぶことができる。
なお前記湾出形状Ｘは、前記着地部３０の上面のみならず、着地部３０の自由端面、即ち前記鋭角αの傾斜をもつ自由端面、の全体に亘って、垂直方向（厚み方向）の上から下にいくにつれて湾曲形状が後退方向に平行移動するが如く、形成されている。
【００１９】
着地部３０ａを以上のような湾出形状Ｘと傾斜形状Ｔとを備えた構成とすることで、該着地部３０ａの上面の自由端部に水平方向には湾出し垂直方向にはせり出した水平着地面３１ａを、前記挿通着地部３０の水平載置面３１に続けて構成することができる。この水平着地面３１ａは、正に前記水平載置面３１の一部として水平載置面３１と相互に面一に連続する面を構成する。
【００２０】
次に上記で説明した載置台に対して、被載置物である腕時計Ｗを挿通して載置する際の作用乃至手順について説明する。
まず水平な所定の場所に載置台をその基台部１０で置く。この状態で、通常は載置台１０から立設部２０を介して取り付けられた挿通載置部３０の上面である水平載置面３１は、水平の状態となる。
水平載置面３１が水平となるように基台部１０が置かれた状態で、腕から外された腕時計Ｗ或いは展示用の腕時計Ｗが、載置台の挿通載置部３０に挿通され、載置される。
作業者は、目的の腕時計Ｗを持ち、空間を介して挿通載置部３０の自由端部である着地部３０ａに腕時計Ｗの時計バンドＷ２を少し挿通した後、その状態で腕時計Ｗの時計本体Ｗ１を、その裏面側で着地部３０ａの上面である水平着地面３１ａに着地させる。
前記着地部３０ａは平面視においては湾出形状Ｘで縦断面視では鋭角αに傾斜する傾斜形状Ｔとしているので、時計バンドＷ２のリング径の方が着地部３０ａの径よりも十分に大きく、腕時計を容易に挿通開始させることができる。しかも挿通を開始させた腕時計Ｗは、すぐさま水平着地面３１ａに着地されるので、挿通量がごく僅かであり、この時点で時計バンドＷ２等に傷等が付くような原因をなくすことができる。
そして前記腕時計Ｗの時計本体Ｗ１を水平着地面３１ａ上に着地させることで、腕時計Ｗの時計本体Ｗ１と時計バンドＷ２との接触による傷付き原因をなくすことができる。
また前記腕時計Ｗの時計本体Ｗ１を水平着地面３１ａ上に着地させることで、腕時計Ｗの時計バンドＷ２が、時計本体Ｗ１を中心に水平着地面３１ａ（水平載置面３１）の幅方向（長手方向に直角な方向）にバランスよく２分されることになる。このため水平着地面３１の両側から垂れ下がる時計バンドＷ２は、これを平行移動させれば前記挿通載置部３０の横断面形状をそのまま時計バンドＷ２の内空間に納めることができるような位置を占めさせることができる。
従って次の作業として、作業者は前記水平着地面３１ａに着地された時計本体Ｗ１を水平着地面３１ａから水平載置面３１へとスライドさせることで、長手方向の奥へと平行移動させればよい。この平行移動によって腕時計Ｗは載置されるべき挿通載置部３０の位置に移動して停止する。この移動の際には、時計バンドＷ２は着地部３０ａの側周面及びそれに続く挿通載置部３０の側周面３２の外側に沿って移動されるので、途中で引っ掛かって傷が付くといったことも生じない。
一方、腕時計Ｗを載置台から取り外す場合は、腕時計Ｗを挿通載置部３０の長手方向に平行移動させることで、挿通載置部３０の自由端部から容易に取り外すことができる。
【００２１】
本第１実施形態の場合、挿通載置部３０は、樹脂製若しくは木製で本体Ａを構成し、本体Ａの表面を革Ｂで被覆して構成している。表面を革Ｂで構成することで、該革Ｂが軟らかく、貴金属やその他の金属或いはその他の材料で構成される時計本体Ｗ１や時計バンドＷ２からなる腕時計Ｗに傷が入るのを防止することができる。また革による豪華さや高級感を演出させることができる。
前記革Ｂによる被覆は、縫製により行うことができるが、革Ｂによる縫製の縫目Ｂ１は挿通載置部３０の図示しない最底部の長手方向の全長位置と、挿通載置部３０の長手方向端面（着地部３０ａの端面）の外形線位置から少し内側に入った内側位置（図４参照）とにのみ設けるようにしている。このように縫目Ｂ１を設ける位置を限定することで、縫目Ｂ１を時計本体Ｗ１が載置される挿通載置部３０の水平載置面３１及び水平着地面３１ａを凹凸なく水平に保持すると共に、時計を傷付けるような原因を確実に防止することができる。前記挿通載置部３０の長手方向端面の革による被覆においては、端面の外形線位置より内側の位置で縫目Ｂ１を構成することが重要である。
【００２２】
本発明の第２実施形態を、図５を参照して説明する。
第２実施形態においても、基本的には第１実施形態の場合と同様である。第１実施形態と同様の機能を果たす部分、要素は同一の符号を付して説明を省略する。
第２実施形態の載置台では、挿通載置部３０は、樹脂製若しくは木製の本体Ａに対して樹脂若しくはゴムからなる表層Ｃを一体成形して構成している。予め作製した本体Ａの上に表層Ｃを後から一体成形することで、挿通載置部の本体Ａを樹脂や木製により堅固で且つ低コスト材料で得ることが可能となると共に、腕時計Ｗが挿通、載置される挿通載置部３０の表面を寸法精度がよく且つ傷を付け難い材料を使い分けて用いることが可能となり、しかも表層Ｃを型を用いた成形により本体Ａ上に効率よく形成することが可能となる。
【００２３】
本発明の第３実施形態を、図６を参照して説明する。
この第３実施形態においても、基本的には第１実施形態の場合と同様である。第１実施形態と同様の機能を果たす部分、要素は同一の符号を付して説明を省略する。
第３実施形態の載置台では、挿通載置部３０と、その長手方向自由端部の着地部３０ａとを、別部品として構成している。そして両者を一体に組み合わせて構成して、全体として挿通載置部３０としている。
以上のようにすることで、長さの異なる複数種類の挿通載置部３０を容易に作製することができる。また着地部３０ａを後から必要に応じて組み合わせることができるので、両端部に着地部３０ａがあるもの、片側端部にのみ着地部３０ａがあるものを容易に選択して作製することができる。また挿通載置部３０とその長手方向自由端部の着地部３０ａの役割に応じた材質、形状を、それぞれ他方の材質に影響されることなく作製することができる。
前記分離して構成した着地部３０ａと挿通載置部３０との組合せ結合は、例えば図６にも示すように、着地部３０ａに嵌合差込部を設け、挿通載置部３０に嵌合受入部を設けるなど、両者間での正確な位置合わせができる構成とした上で、両者をその相互の接合面で接着剤等、その他の接合手段を用いて一体に結合することができる。
【００２４】
前記挿通載置部３０の一部である着地部３０ａを、分離して別に構成する場合においては、挿通載置部３０は樹脂製若しくは木製の本体Ａの表面を革Ｂで被覆して構成し、長手方向自由端部の着地部３０ａは樹脂製若しくはゴム製の成形品Ｄで構成することができる。
このように構成することで、挿通載置部３０の大部分は革Ｂで被覆することによって見栄えよくすることができ、一方、革を被覆し難い自由端部の着地部３０ａだけを樹脂製若しくはゴム製の成形品Ｄとすることで、全体として作製が容易で見栄えもよい載置台を得ることができる。
【符号の説明】
【００２５】
１０    基台部
２０    立設部
３０    挿通載置部
３０ａ  着地部
３１    水平載置面
３１ａ  水平着地面
３２    側周面
Ａ      本体
Ｂ      革
Ｂ１    縫目
Ｃ      表層
Ｄ      成形品
Ｔ      傾斜形状
Ｘ      湾出形状
α      鋭角
Ｗ      腕時計
Ｗ１    時計本体
Ｗ２    時計バンド
【図１】
2013022307.tif 000003
【図２】
2013022307.tif 000004
【図３】
2013022307.tif 000005
【図４】
2013022307.tif 000006
【図５】
2013022307.tif 000007
【図６】
2013022307.tif 000008